(57)【要約】【課題】上下方向に天板を重ねる場合に下方に配置された天板に傷や凹みなどを生じにくくする。【解決手段】天板付什器１は、天板４０と、天板４０の下方に配置され、上下方向Ｄｖに弾性変形可能な収納トレー３１と、床面Ｆ上に配置され、上下方向Ｄｖにおける天板４０の位置を調整可能に天板４０を支持する支持構造体１０と、を備える。支持構造体１０は、上下方向Ｄｖにおける天板４０の位置が互いに異なるように調整された天板４０と他の天板付什器１の天板４０とが上下方向Ｄｖに重なるように、他の天板付什器１の支持構造体１０に対して近接して配置可能に構成されており、収納トレー３１は、天板４０が他の天板付什器１の天板４０の上から上下方向Ｄｖに重ねられた状態において、天板４０と他の天板付什器１の天板４０との間に配置されるように構成されている。【選択図】図７
2018068950.tif 000002
【特許請求の範囲】
【請求項１】
天板と、
前記天板の下方に配置され、上下方向に弾性変形可能なスペーサー部材と、
設置面上に配置され、前記上下方向における前記天板の位置を調整可能に前記天板を支持する支持構造体と、
を備える天板付什器において、
前記支持構造体は、前記上下方向における前記天板の位置が互いに異なるように調整された前記天板と他の前記天板付什器の天板とが前記上下方向に重なるように、前記他の天板付什器の支持構造体に対して近接して配置可能に構成されており、
前記スペーサー部材は、前記天板が前記他の天板付什器の天板の上から前記上下方向に重ねられた状態において、前記天板と前記他の天板付什器の天板との間に配置されるように構成されている
天板付什器。
【請求項２】
請求項１に記載の天板付什器であって、
前記支持構造体は、
前記設置面に平行な第一方向を向く側に設けられた被係合部と、
前記第一方向を向く側の反対側に設けられ、前記被係合部の形状に対して係合可能な形状を有する係合受部と、
を有し、
前記係合受部に前記他の天板付什器の支持構造体の被係合部を係合させることによって、前記他の天板付什器を前記第一方向に重ねることが可能である
天板付什器。
【請求項３】
請求項２に記載の天板付什器であって、
前記スペーサー部材は、前記設置面に平行な方向における前記天板の一端側から他端側に延びる板状に形成された板状部を有する
天板付什器。
【請求項４】
請求項３に記載の天板付什器であって、
前記スペーサー部材は、前記板状部の延びる方向における前記板状部の一端部および他端部からそれぞれ上方に前記天板まで延びる一対の側部をさらに有し、
前記板状部と前記一対の側部とによって、物品を収納可能な収納部が構成されている
天板付什器。
【請求項５】
請求項４に記載の天板付什器であって、
前記上下方向における前記天板の位置を調整するための操作部をさらに備え、
前記板状部の延びる方向は、前記第一方向に直交しかつ前記設置面に平行な第二方向であり、
前記操作部は、前記一対の側部の一方に対して前記第二方向に隣接する位置であって前記一対の側部の他方とともに前記一対の側部の一方を挟む位置に配置されている
天板付什器。
【発明の詳細な説明】
【技術分野】
【０００１】
本発明は、天板付什器に関する。
【背景技術】
【０００２】
従来、オフィスや公共施設などでは、各種作業を行うことのできる天板を備えたデスクやテーブル、作業台、実験台などの天板付什器が用いられている。天板付什器において、使用者の姿勢や体格、性別、好みなどによって、作業のしやすい天板の高さは個々に異なっている。天板の高さが一定である天板付什器ではこのような実情に対応できないため、天板の高さを上下方向に変更可能に構成された天板付什器が広く用いられている。こうした天板付什器を用いることによって、使用者に対して作業性の良い環境を提供することができ、作業効率を向上させるとともに、使用者の体への負担を低減することができる。
【０００３】
また、複数の天板付什器を収納する場合に、例えば天板を折り畳んで複数の天板付什器を重ねて収納する、いわゆるスタッキングが広く行われている。スタッキングをすることで、限られた範囲内により多くの天板付什器を収納することができる。
【０００４】
このような天板付什器として、例えば特許文献１には、天板の高さを調整可能であってスタッキング可能な昇降式テーブルが記載されている。この昇降式テーブルは、水平の支持脚に立設し、内部に伸縮機構を有する支柱と、支柱によって昇降可能に支持された天板と、を備えている。天板は、水平な使用位置とほぼ垂直な上向きの折り畳み位置との間を回動可能に設けられている。この昇降式テーブルでは、天板を折り畳み位置に回動させた状態で、複数の昇降式テーブルをスタッキングすることができる。しかしながら、天板を回動させるという構造上、天板を回動させる際に他の什器や壁などに天板をぶつけたり、天板と支柱との間に物を挟んだりする可能性が考えられる。
【０００５】
そこで、天板を回動させない構造を有する天板付什器として、例えば特許文献２に記載されたスタッキングテーブルが知られている。このスタッキングテーブルは、天板と、天板に取り付けられ、長さを調整する機構を有する脚と、を備えている。脚は、天板に対する位置が固定された一対の固定脚と、天板に対する位置が変化する一対の可動脚と、から構成されている。可動脚は、天板との間に設けられた回転機構によって、天板の下方の位置と天板の短辺の側方の位置との間を移動することができる。可動脚が天板の短辺の側方に位置する状態では、可動脚同士の間隔は天板の長辺の長さ以上に離れている。スタッキング時には、可動脚をこの側方の位置に移動させるとともに、固定脚および可動脚の長さを調整して天板の高さが異なるようにした状態で、一方のスタッキングテーブルの天板の下に他方のスタッキングテーブルの天板を差し込んで天板同士が重なるようにして、これらのスタッキングテーブルをスタッキングする。
【先行技術文献】
【特許文献】
【０００６】
【特許文献１】特許第３５２５３２８号公報
【特許文献２】特開２０１６−１９６７０号公報
【発明の概要】
【発明が解決しようとする課題】
【０００７】
しかしながら、特許文献２に記載されたスタッキングテーブルでは、スタッキング時に相応の強度を有する天板同士が上下方向に重なるため、下方に配置された天板が上方に配置された天板と接触した場合に、下方に配置された天板の上面に傷や凹みなどが生じる可能性がある。
【０００８】
本発明は、上記の事情を鑑みてなされたものであり、上下方向に天板を重ねる場合に下方に配置された天板に傷や凹みなどを生じにくくすることが可能な天板付什器を提供することを目的とする。
【課題を解決するための手段】
【０００９】
本発明の一態様によれば、天板付什器は、天板と、前記天板の下方に配置され、上下方向に弾性変形可能なスペーサー部材と、設置面上に配置され、前記上下方向における前記天板の位置を調整可能に前記天板を支持する支持構造体と、を備える。前記支持構造体は、前記上下方向における前記天板の位置が互いに異なるように調整された前記天板と他の前記天板付什器の天板とが前記上下方向に重なるように、前記他の天板付什器の支持構造体に対して近接して配置可能に構成されている。前記スペーサー部材は、前記天板が前記他の天板付什器の天板の上から前記上下方向に重ねられた状態において、前記天板と前記他の天板付什器の天板との間に配置されるように構成されている。
【００１０】
このような天板付什器によれば、上下方向に弾性変形可能なスペーサー部材は、天板が他の天板付什器の天板の上から上下方向に重ねられた状態において、天板と他の天板付什器の天板との間に配置されている。このため、下方に配置された他の天板付什器の天板は、上方に配置された天板と接触する前にスペーサー部材と接触して、スペーサー部材が弾性変形するので、下方に配置された天板に傷や凹みなどが生じにくくすることができる。
【００１１】
上記の天板付什器において、前記支持構造体は、前記設置面に平行な第一方向を向く側に設けられた被係合部と、前記第一方向を向く側の反対側に設けられ、前記被係合部の形状に対して係合可能な形状を有する係合受部と、を有していてもよい。前記係合受部に前記他の天板付什器の支持構造体の被係合部を係合させることによって、前記他の天板付什器を前記第一方向に重ねることが可能であってもよい。
【００１２】
このような天板付什器によれば、第一方向を向く側の反対側に設けられた係合受部に、他の天板付什器の支持構造体において第一方向を向く側に設けられた被係合部を係合させることによって、他の天板付什器を第一方向に重ねることができる。このため、複数の天板付什器を第一方向に整列して重なるようにスタッキングすることができる。
【００１３】
上記の天板付什器において、前記スペーサー部材は、前記設置面に平行な方向における前記天板の一端側から他端側に延びる板状に形成された板状部を有していてもよい。
【００１４】
このような天板付什器によれば、スペーサー部材は天板の一端側から他端側に延びる板状に形成された板状部を有している。このため、天板同士が上下方向に重ねられた状態において、スペーサー部材は、より広い範囲で下方に配置された天板と接触することができる。よって、下方に配置された天板に傷や凹みなどがさらに生じにくくすることができる。
【００１５】
上記の天板付什器において、前記スペーサー部材は、前記板状部の延びる方向における前記板状部の一端部および他端部からそれぞれ上方に前記天板まで延びる一対の側部をさらに有していてもよい。前記板状部と前記一対の側部とによって、物品を収納可能な収納部が構成されていてもよい。
【００１６】
このような天板付什器によれば、スペーサー部材の板状部と一対の側部とによって、物品を収納可能な収納部が構成されている。これにより、什器としての使い勝手を良好にすることができる。
【００１７】
上記の天板付什器において、前記上下方向における前記天板の位置を調整するための操作部をさらに備えていてもよい。前記板状部の延びる方向は、前記第一方向に直交しかつ前記設置面に平行な前記第二方向であってもよい。前記操作部は、前記一対の側部の一方に対して前記第二方向に隣接する位置であって前記一対の側部の他方とともに前記一対の側部の一方を挟む位置に配置されていてもよい。
【００１８】
このような天板付什器によれば、操作部は、スペーサー部材の一対の側部の一方に対して第一方向に直交する第二方向に隣接する位置であって一対の側部の他方とともに一対の側部の一方を挟む位置に配置されている。このため、複数の天板付什器を第一方向に重ねた状態でも、第一方向に直交する第二方向から容易に操作部にアクセスすることができる。よって、什器としての使い勝手を良好にすることができる。
【発明の効果】
【００１９】
上記の天板付什器によれば、上下方向に天板を重ねる場合に下方に配置された天板に傷や凹みなどを生じにくくすることができる。
【図面の簡単な説明】
【００２０】
【図１】本発明の一実施形態に係る天板付什器を示す斜視図である。
【図２】前記天板付什器の正面図である。
【図３】前記天板付什器の右側面図である。
【図４】前記天板付什器の支柱が収縮した状態における前記天板付什器の右側面図である。
【図５】図２のＶ−Ｖ線における断面図である。
【図６】前記天板付什器をスタッキングした状態を示す正面図である。
【図７】前記天板付什器をスタッキングした状態を示す右側面図である。
【図８】前記天板付什器をスタッキングした状態を示す平面図である。
【図９】図６のＩＸ−ＩＸ線における断面図である。
【発明を実施するための形態】
【００２１】
以下、本発明の一実施形態について、図１から図９を参照して説明する。
【００２２】
図１は、本発明の一実施形態に係る天板付什器１を示す斜視図である。図２は、天板付什器１の正面図である。図３は、天板付什器１の右側面図である。図４は、天板付什器１の支柱２０が収縮した状態における天板付什器１の右側面図である。図５は、図２のＶ−Ｖ線における断面図である。なお、図６において、支柱２０の断面はその構成を簡略化して示している。
【００２３】
図１から図６に示すように、天板付什器１は、天板４０と、スペーサー部材３０と、支持構造体１０と、を備えている。
【００２４】
本実施形態では、天板４０は、平面視で長方形の板状に形成されている。天板４０は、天板付什器１を設置する設置面である床面Ｆに対して略平行な上面４０ｔを有している。上面４０ｔは、使用者が作業を行うために使用する作業面として機能するとともに、上面４０ｔ上に物品を載置することも可能である。天板４０は、木製であり、例えばパーティクルボードで構成されている。天板４０の厚さ（天板４０の上面４０ｔと下面４０ｕとの間の距離）は、例えば２０ｍｍに設定されている。
【００２５】
なお、以下の説明では、天板４０の長辺方向を、幅方向Ｄｈと適宜称する。天板４０の短辺方向を、前後方向Ｄｆと適宜称する。加えて、床面Ｆに垂直な方向を、上下方向Ｄｖと適宜称する。幅方向Ｄｈおよび前後方向Ｄｆは、互いに直交するとともに、床面（設置面）Ｆにそれぞれ平行である。上下方向Ｄｖは、幅方向Ｄｈおよび前後方向Ｄｆとそれぞれ直交する。
【００２６】
スペーサー部材３０は、天板４０の下方に配置され、上下方向Ｄｖに弾性変形可能に構成されている。本実施形態では、スペーサー部材３０は、天板４０の下面４０ｕに設けられた収納トレー３１である。
【００２７】
収納トレー３１は、底板部３１ａと、左側板部３１ｂと、右側板部３１ｃと、後板部３１ｄと、仕切り板部３１ｅと、を有している。底板部（板状部）３１ａは、幅方向Ｄｈにおける天板４０の一端側から他端側に延びる板状に形成されている。より具体的には、底板部３１ａは、幅方向Ｄｈおよび前後方向Ｄｆにそれぞれ延びる長方形の板状に形成されており、天板４０の下面４０ｕに対して下方に間隔をあけて略平行に配置されている。平面視における底板部３１ａの外形寸法は、平面視における天板４０の外形寸法よりも小さく設定されている。
【００２８】
左側板部（側部）３１ｂは、底板部３１ａの幅方向Ｄｈの一方（以下、この方向を幅方向Ｄｈの左方、または単に左方と適宜称する。）の端部から前後方向Ｄｆの全体に渡って上方に天板４０の下面４０ｕまで延びている。右側板部（側部）３１ｃは、底板部３１ａの幅方向Ｄｈの他方（以下、この方向を幅方向Ｄｈの右方、または単に右方と適宜称する。）の端部から前後方向Ｄｆの全体に渡って上方に天板４０の下面４０ｕまで延びている。後板部３１ｄは、底板部３１ａの前後方向Ｄｆの一方（以下、この方向を前後方向Ｄｆの後方、または単に後方と適宜称し、その反対の方向を前後方向Ｄｆの前方、または単に前方と適宜称する。）の端部から幅方向Ｄｈの全体に渡って上方に天板４０の下面４０ｕまで延びている。仕切り板部３１ｅは、後板部３１ｄから前方に間隔をあけて配置され、底板部３１ａの前後方向Ｄｆの中間部分から幅方向Ｄｈの全体に渡って上方に天板４０の下面４０ｕまで延びる板状に形成されている。
【００２９】
収納トレー３１の底板部３１ａ、左側板部３１ｂ、右側板部３１ｃ、および仕切り板部３１ｅと、天板４０の下面４０ｕと、によって囲まれる空間によって収納部３２が形成されている。収納部３２は、前後方向Ｄｆの前方が開口しており、この開口から文房具や書類、電子機器などの物品を収納部３２に収納することができる。また、収納トレー３１の後板部３１ｄと仕切り板部３１ｅとの間には、後方空間３３が形成されている。後方空間３３には、天板４０を支持する支持構造体１０の上部が配置されている。
【００３０】
収納トレー３１の後板部３１ｄには、前後方向Ｄｆの後方に突出するフック３４が形成されている。フック３４には、例えば、幕板として機能する板状の部材を掛けることができる。
【００３１】
収納トレー３１の底板部３１ａ、左側板部３１ｂ、右側板部３１ｃ、後板部３１ｄ、および仕切り板部３１ｅは、例えばポリプロピレンなどの弾性変形可能な樹脂によって一体的に形成されている。左側板部３１ｂ、右側板部３１ｃ、および後板部３１ｄはそれぞれ、上端部が鍔状に形成されており、不図示のねじなどの固定具や接着材などによって天板４０の下面４０ｕに固定されている。これによって、収納トレー３１は、天板４０の下面４０ｕに取り付けられている。
【００３２】
支持構造体１０は、床面Ｆ上に配置され、上下方向Ｄｖにおける天板４０の位置を調整可能に天板４０を支持している。本実施形態では、支持構造体１０は、天板４０を支持する支柱２０と、支柱２０を支持するベース部５０と、を有している。
【００３３】
支柱２０は、上下方向Ｄｖに沿って延びており、上下方向Ｄｖに伸縮可能に構成されている。具体的には、支柱２０は、ベース部５０に接続された外柱部２１と、天板４０に接続された内柱部２２と、を有する。外柱部２１は、上下方向Ｄｖに延びる筒状に形成されている。内柱部２２は、上下方向Ｄｖに延びて形成され、外柱部２１の内部に上下方向Ｄｖに移動可能に収納されている。本実施形態では、外柱部２１および内柱部２２はともに、上下方向Ｄｖに延びる円柱状の外形を有している。内柱部２２は、支柱２０が有する公知のガススプリングによる昇降機構（不図示）によって、外柱部２１に対して上下方向Ｄｖに移動することができる。これによって、支柱２０を上下方向Ｄｖに伸縮させることができる。支柱２０を伸縮させることで、図３に示すように支柱２０が伸びており天板４０が高い位置にある状態から、図４に示すように支柱２０が縮んでおり天板４０が低い位置にある状態まで、上下方向Ｄｖにおける天板４０の位置を変化させることができる。
【００３４】
収納トレー３１の底板部３１ａには、仕切り板部３１ｅと後板部３１ｄとの間であって幅方向Ｄｈの中央部分に底板部３１ａを貫通する孔部３１ｈが形成されている。孔部３１ｈは、支柱２０が挿通可能な内径を有している。内柱部２２の上部は、孔部３１ｈを挿通して、収納トレー３１の後方空間３３内に配置されている。内柱部２２の上端部は、フレーム２３を介して天板４０の下面４０ｕに固定されている。内柱部２２の上端部とフレーム２３との固定、およびフレーム２３と天板４０の下面４０ｕと固定はそれぞれ、不図示のねじなどの固定具によって行われている。このようにして、天板４０は、支柱２０に支持されている。
【００３５】
支柱２０の伸縮動作は、操作レバー（操作部）２４によって制御することができる。すなわち、操作レバー２４を操作することによって、上下方向Ｄｖにおける天板４０の位置を調整することができる。操作レバー２４は、天板４０の下面４０ｕの下方であって収納トレー３１の右側板部３１ｃの右方に隣接する位置に配置されている。また、操作レバー２４は、前後方向Ｄｆに延びて形成されている。操作レバー２４の後端側は、後方空間３３内に配置された不図示の軸部に接続されている。この軸部は、後方空間３３内の内柱部２２の上端部に配置された昇降機構のピストンロッド（不図示）に当接している。操作レバー２４の前端側は、前後方向Ｄｆに天板４０の前端部の近傍まで延びている。操作レバー２４の前端側を図４に示す状態から図３に示す状態へ上方に移動させることで軸部を介してピストンロッドが操作され、これによって支柱２０の昇降機構が動作する。
【００３６】
ベース部５０は、本体部５１と、４つの脚杆５２、５３、５４、５５と、を有している。本体部５１は、幅方向Ｄｈに延びて設けられている。本体部５１の幅方向Ｄｈの中央部分に、外柱部２１の下端部が不図示のねじなどの固定具によって固定されている。外柱部２１は、本体部５１において前後方向Ｄｆの後方よりの位置に配置されている。また、前後方向Ｄｆにおいて、本体部５１の前端部５１ｆは、天板４０の前端部４０ｆよりも後方に位置している。前後方向Ｄｆにおいて、本体部５１の後端部５１ｒは、天板４０の後端部４０ｒよりも前方に位置している。
【００３７】
脚杆５２は、本体部５１の幅方向Ｄｈの左方の左端部５１ａから下方および左方に傾斜しつつ前後方向Ｄｆの前方に延びている。脚杆５２の前端部５２ｆの下面には、公知のキャスター５６が設けられている。また、脚杆５３は、脚杆５２の後方に配置されており、本体部５１の幅方向Ｄｈの左方の左端部５１ａから下方および左方に傾斜しつつ前後方向Ｄｆの後方に延びている。脚杆５３の後端部５３ｒの下面には、公知のキャスター５６が設けられている。
【００３８】
脚杆５４は、本体部５１の幅方向Ｄｈの右方の右端部５１ｂから下方および右方に傾斜しつつ前後方向Ｄｆの前方に延びている。脚杆５４の前端部５４ｆの下面には、公知のキャスター５６が設けられている。また、脚杆５５は、脚杆５４の後方に配置されており、本体部５１の幅方向Ｄｈの右方の右端部５１ｂから下方および右方に傾斜しつつ前後方向Ｄｆの後方に延びている。脚杆５５の後端部５５ｒの下面には、公知のキャスター５６が設けられている。
【００３９】
このような構成により、本体部５１は、脚杆５２の前端部５２ｆ、脚杆５３の後端部５３ｒ、脚杆５４の前端部５４ｆ、および脚杆５５の後端部５５ｒよりも、上下方向Ｄｖの位置が高くなっている。そして、本体部５１と床面Ｆとの間に、他の天板付什器１の脚杆５２の前端部５２ｆ、脚杆５３の後端部５３ｒ、脚杆５４の前端部５４ｆ、および脚杆５５の後端部５５ｒをそれぞれ挿入可能な空間が形成されている。
【００４０】
また、本体部５１の前端部５１ｆの前後方向Ｄｆの前方であって脚杆５２と脚杆５４との間には、スタッキング時に他の天板付什器１のベース部５０を配置させるための空間が形成されている。同様に、本体部５１の後端部５１ｒの前後方向Ｄｆの後方であって脚杆５３と脚杆５５との間には、スタッキング時に他の天板付什器１のベース部５０を配置させるための空間が形成されている。
【００４１】
各キャスター５６が転動することにより、天板付什器１は床面Ｆ上を走行することができる。よって、スタッキングする際に、天板付什器１を容易に移動させることができる。また、各キャスター５６には、公知のロック機構が適宜設けられている。
【００４２】
次に、上述した本実施形態に係る天板付什器１のスタッキングについて、図６から図９を参照して説明する。
【００４３】
図６は、天板付什器１をスタッキングした状態を示す正面図である。図７は、天板付什器１をスタッキングした状態を示す右側面図である。図８は、天板付什器１をスタッキングした状態を示す平面図である。図９は、図６のＩＸ−ＩＸ線における断面図である。なお、図９において、支柱２０の断面はその構成を簡略化して示している。以下では、天板付什器１と同じ構成を有する４つの天板付什器１Ａ、１Ｂ、１Ｃ、１Ｄのスタッキングについて説明する。
【００４４】
まず、天板付什器１Ａにおいて、操作レバー２４を操作して、上下方向Ｄｖにおける天板４０の位置を最も低くする。次に、天板付什器１Ｂにおいて、天板４０の位置を天板付什器１Ａの天板４０の位置よりも高くする。そして、図６から図８に示すように、天板付什器１Ａの前後方向Ｄｆの後方に、天板付什器１Ｂを前側から幅方向Ｄｈの左方にずらして配置する。このとき、天板付什器１Ｂの支持構造体１０の支柱２０の近傍に天板付什器１Ａの天板４０の後端部４０ｒが位置するように、天板付什器１Ｂを配置する。
【００４５】
この状態では、天板付什器１Ａの天板４０の上に天板付什器１Ｂの天板４０および収納トレー３１が配置されており、天板付什器１Ａの天板４０の後側部分と天板付什器１Ｂの天板４０および収納トレー３１の前側部分とが上下方向Ｄｖに重なっている。すなわち、天板付什器１Ｂの収納トレー３１は、天板付什器１Ｂの天板４０と天板付什器１Ａの天板４０との間に配置されている。
【００４６】
また、上述の状態における支持構造体１０については、図９に示すように、天板付什器１Ｂのベース部５０の本体部５１の前端部５１ｆは、平面視において天板付什器１Ａのベース部５０の脚杆５３と脚杆５４との間に配置されている。天板付什器１Ｂのベース部５０の脚杆５４は、天板付什器１Ａのベース部５０の本体部５１の右端部５１ｂと床面Ｆとの間に形成された空間に挿入されている。天板付什器１Ｂのベース部５０の脚杆５２は、天板付什器１Ａのベース部５０の本体部５１の左端部５１ａの左方に近接して配置されている。さらに、天板付什器１Ｂのベース部５０の本体部５１の左端部５１ａと床面Ｆとの間に形成された空間に、天板付什器１Ａのベース部５０の脚杆５３が挿入されている。天板付什器１Ｂのベース部５０の本体部５１の右端部５１ｂの右方に、天板付什器１Ａのベース部５０の脚杆５５が近接して配置されている。
【００４７】
このようにして、天板付什器１Ａの支持構造体１０において前後方向（第一方向）Ｄｆの後方側のベース部５０の本体部５１、脚杆５３、および脚杆５５によって構成される被係合部５７の形状に対して係合可能な形状に、天板付什器１Ｂの支持構造体１０において前後方向Ｄｆの前方側のベース部５０の本体部５１、脚杆５２、および脚杆５４によって構成される係合受部５８が形成されている。そして、天板付什器１Ｂの係合受部５８に天板付什器１Ａの被係合部５７を係合させることによって、天板付什器１Ａおよび天板付什器１Ｂを前後方向Ｄｆに重ねることができる。
【００４８】
すなわち、天板付什器１Ａのベース部５０および天板付什器１Ｂのベース部５０が上述した位置関係となることによって、天板付什器１Ｂの支持構造体１０は、天板付什器１Ｂの天板４０と天板付什器１Ａの天板４０とが上下方向Ｄｖに重なるように、天板付什器１Ａの支持構造体１０に対して近接して配置することができる。加えて、この際、天板付什器１Ａの天板４０の後端部４０ｒに天板付什器１Ｂの支柱２０の外周面２０ｓ、より具体的には内柱部２２の外周面を当接させることによって、天板付什器１Ａに対する天板付什器１Ｂの前後方向Ｄｆの位置を定めることができる。
【００４９】
続いて、上述した状態から、天板付什器１Ｂの収納トレー３１が天板付什器１Ａの天板４０の上面４０ｔに軽く接触する、または天板付什器１Ｂの収納トレー３１と天板付什器１Ａの天板４０の上面４０ｔとの間に若干の隙間が形成されるまで、上下方向Ｄｖにおける天板付什器１Ｂの天板４０の位置を下げる。
【００５０】
このとき、天板付什器１Ｂの天板４０と天板付什器１Ａの天板４０との間に、天板付什器１Ｂの収納トレー３１が配置されている。天板４０は上述したような所定の厚さを有する木製であるため、上述したような樹脂で形成された収納トレー３１に対して剛性が高い。このため、天板付什器１Ａの天板４０に天板付什器１Ｂの収納トレー３１が接触した場合には、収納トレー３１が弾性変形するため、天板４０に傷や凹みなどが生じにくい。このように、収納トレー３１はスペーサー部材３０として機能する。
【００５１】
続いて、天板付什器１Ｃにおいて、天板４０の位置を天板付什器１Ｂの天板４０の位置よりも高くする。そして、上述した天板付什器１Ａに対する天板付什器１Ｂと同様に、天板付什器１Ｃを天板付什器１Ｂの前後方向Ｄｆの後方に配置し、天板付什器１Ｃの天板４０の位置を天板付什器１Ｂの天板４０の上面４０ｔ上まで下げる。
【００５２】
さらに続いて、天板付什器１Ｄにおいて、天板４０の位置を天板付什器１Ｃの天板４０の位置よりも高くする。そして、上述した天板付什器１Ａに対する天板付什器１Ｂと同様に、天板付什器１Ｄを天板付什器１Ｃの前後方向Ｄｆの後方に配置し、天板付什器１Ｄの天板４０の位置を天板付什器１Ｃの天板４０の上面４０ｔ上まで下げる。
【００５３】
以上のようにして、天板付什器１Ａ、１Ｂ、１Ｃ、１Ｄをスタッキングすることができる。
【００５４】
本実施形態によれば、天板付什器１は、天板４０と、天板４０の下方に配置され、上下方向Ｄｖに弾性変形可能な収納トレー３１と、床面Ｆ上に配置され、上下方向Ｄｖにおける天板４０の位置を調整可能に天板４０を支持する支持構造体１０と、を備える。支持構造体１０は、上下方向Ｄｖにおける天板４０の位置が互いに異なるように調整された天板４０と他の天板付什器１の天板４０とが上下方向Ｄｖに重なるように、他の天板付什器１の支持構造体１０に対して近接して配置可能に構成されている。収納トレー３１は、天板４０が他の天板付什器１の天板４０の上から上下方向Ｄｖに重ねられた状態において、天板４０と他の天板付什器１の天板４０との間に配置されるように構成されている。
【００５５】
上述した構成によれば、上下方向Ｄｖに弾性変形可能な収納トレー３１は、天板４０が他の天板付什器１の天板４０の上から上下方向Ｄｖに重ねられた状態において、天板４０と他の天板付什器１の天板４０との間に配置されている。このため、下方に配置された他の天板付什器１の天板４０は、上方に配置された天板４０と接触する前に収納トレー３１と接触して、収納トレー３１が弾性変形するので、下方に配置された天板４０に傷や凹みなどが生じにくくすることができる。
【００５６】
また、支持構造体１０は、床面Ｆに平行な前後方向Ｄｆの後方側に設けられた被係合部５７と、前後方向Ｄｆの前方側に設けられ、被係合部５７の形状に対して係合可能な形状を有する係合受部５８と、を有している。係合受部５８に他の天板付什器１の支持構造体１０の被係合部５７を係合させることによって、他の天板付什器１を前後方向Ｄｆに重ねることが可能である。
【００５７】
上述した構成によれば、前後方向Ｄｆの前方側に設けられた係合受部５８に、他の天板付什器１の支持構造体１０において前後方向Ｄｆの後方側に設けられた被係合部５７を係合させることによって、他の天板付什器１を前後方向Ｄｆに重ねることができる。このため、複数の天板付什器１を前後方向Ｄｆに整列して重なるようにスタッキングすることができる。
【００５８】
また、収納トレー３１は、床面Ｆに平行な幅方向Ｄｈにおける天板４０の一端側から他端側に延びる板状に形成された底板部３１ａを有している。このため、天板４０同士が上下方向に重ねられた状態において、収納トレー３１は、より広い範囲で下方に配置された天板４０と接触することができる。よって、下方に配置された天板４０に傷や凹みなどがさらに生じにくくすることができる。
【００５９】
また、天板付什器１は、上下方向Ｄｖにおける天板４０の位置を調整するための操作レバー２４をさらに備えている。操作レバー２４は、収納トレー３１の右側板部３１ｃに対して前後方向Ｄｆに直交する幅方向Ｄｈの右方に隣接する位置に配置されている。このため、複数の天板付什器１を前後方向Ｄｆに重ねた状態でも、前後方向Ｄｆに直交する幅方向Ｄｈから容易に操作レバー２４にアクセスすることができる。よって、什器としての使い勝手を良好にすることができる。
【００６０】
なお、上述した本実施形態において、スペーサー部材３０は収納トレー３１であるとしたが、これに限らない。例えば、スペーサー部材３０は、天板４０の下面４０ｕに設けられたゴムなどの弾性部材であってもよい。これにより、スペーサー部材３０は、上下方向Ｄｖに弾性変形可能に構成されていてもよい。さらに、スペーサー部材３０は、上下方向Ｄｖを厚さ方向として上下方向Ｄｖに弾性変形可能なブロック状の軟質弾性体であってもよい。
【００６１】
また、収納トレー３１の底板部３１ａ、左側板部３１ｂ、右側板部３１ｃ、および仕切り板部３１ｅと、天板４０の下面４０ｕと、によって囲まれる空間によって収納部３２が形成されているとしたが、これに限らない。収納トレー３１は、底板部３１ａと、底板部３１ａの幅方向Ｄｈの一端部および他端部からそれぞれ上方に天板４０まで延びる一対の側部として左側板部３１ｂおよび右側板部３１ｃと、を有し、少なくとも底板部３１ａと左側板部３１ｂおよび右側板部３１ｃとによって、収納部３２が構成されていればよい。
【００６２】
また、スペーサー部材３０として機能する収納トレー３１の底板部３１ａは、左側板部３１ｂ、右側板部３１ｃ、および後板部３１ｄを介して天板４０の下面４０ｕに取り付けられていたが、これに限らない。例えば、底板部３１ａは、公知のワイヤ部材や吊下げ金具などを用いて、天板４０の下面４０ｕから吊り下げられていてもよい。また、この場合には、左側板部３１ｂ、右側板部３１ｃ、および後板部３１ｄは、設けられていなくてもよい。さらに、底板部３１ａは、幅方向Ｄｈに限らず、床面Ｆに平行な一方向に延びる板状に形成されていればよい。
【００６３】
また、支柱２０は、ガススプリングによる昇降機構によって上下方向Ｄｖに伸縮可能に構成されていたが、これに限らない。支柱２０は、公知のラチェット機構を用いて伸縮可能に構成されていてもよいし、公知の電動式駆動ユニットを用いて伸縮可能に構成されていてもよい。また、支柱２０は、ねじなどの固定具を用いて外柱部２１に対する内柱部２２の上下方向Ｄｖの位置を段階的に変更可能に外柱部２１と内柱部２２とが連結されることによって、伸縮可能に構成されていてもよい。さらに、一つの支柱２０によって、天板４０が支持されていたが、複数の支柱２０によって、天板４０が支持されていてもよい。
【００６４】
また、操作レバー２４は、天板４０の下面４０ｕの下方であって収納トレー３１の右側板部３１ｃの右方に隣接する位置に配置されているとしたが、これに限らない。操作レバー２４は、収納トレー３１の左側板部３１ｂの左方に隣接する位置に配置されていてもよい。すなわち、操作レバー２４は、収納トレー３１の左側板部３１ｂおよび右側板部３１ｃの一方に対して幅方向Ｄｈに隣接する位置であって、左側板部３１ｂおよび右側板部３１ｃの他方とともに左側板部３１ｂおよび右側板部３１ｃの一方を挟む位置に配置されていればよい。
【００６５】
また、天板付什器１をスタッキングする際に、天板付什器１を幅方向Ｄｈの左方にずらして前後方向Ｄｆの後方に重ねていたが、これに限らない。天板付什器１を幅方向Ｄｈの右方にずらして前後方向Ｄｆの後方に重ねていてもよい。この場合でも同様にスタッキングすることができる。
【００６６】
また、支持構造体１０において前後方向Ｄｆの後方側に被係合部５７が設けられ、前後方向Ｄｆの前方側に係合受部５８が設けられているとしたが、これに限らない。支持構造体１０において前後方向Ｄｆの前方側に被係合部５７が設けられ、前後方向Ｄｆの後方側に係合受部５８が設けられていてもよい。さらに、被係合部５７は前後方向Ｄｆに限られず、支持構造体１０において床面Ｆに水平な一方向を向く側に設けられていてもよく、この場合には、係合受部５８は、支持構造体１０においてこの一方向を向く側の反対側に設けられていればよい。これにより、床面Ｆに水平な任意の一方向に天板付什器１を重ねてスタッキングすることができる。
【００６７】
以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【００６８】
１、１Ａ、１Ｂ、１Ｃ、１Ｄ  天板付什器
１０  支持構造体
２０  支柱
２４  操作レバー（操作部）
３０  スペーサー部材
３１  収納トレー
３１ａ  底板部（板状部）
３１ｂ  左側板部（側部）
３１ｃ  右側板部（側部）
３２  収納部
４０  天板
５０  ベース部
５７  被係合部
５８  係合受部
Ｄｆ  前後方向（第一方向）
Ｄｈ  幅方向（第二方向）
Ｄｖ  上下方向
Ｆ  床面（設置面）
【図１】
2018068950.tif 000003
【図２】
2018068950.tif 000004
【図３】
2018068950.tif 000005
【図４】
2018068950.tif 000006
【図５】
2018068950.tif 000007
【図６】
2018068950.tif 000008
【図７】
2018068950.tif 000009
【図８】
2018068950.tif 000010
【図９】
2018068950.tif 000011